(57)【要約】【課題】利用者が現在位置を入力することなく、タクシーの到着時間を知ることが可能なタクシーサービスシステムを提供する。【解決手段】携帯端末１はＧＰＳ機能にて現在位置データを入手し、周辺タクシー情報データベースであるタクシー情報サーバ４にアクセスし、周辺に位置するタクシー２のタクシー情報をインタネット３００を通して入手する。携帯端末１は現在位置データと周辺に位置するタクシー２の位置データとを基に、地図情報サーバ３から現在位置とタクシー２との間の地図情報及び道路の規制速度情報を取出し、タクシー２までの経路及び距離を算出する。携帯端末１は得られた道路の規制速度、算出した距離によって、タクシーの利用者の現在位置への到着時間を算出する。【選択図】      図１
2004157698.tif 000002
【特許請求の範囲】
【請求項１】
携帯端末から当該携帯端末の現在位置周辺のタクシーの搭載機器に対して配車依頼を送信するタクシーサービスシステムであって、
前記携帯端末の現在位置情報を取得するＧＰＳ（Ｇｌｏｂａｌ  Ｐｏｓｉｔｉｏｎｉｎｇ  Ｓｙｓｔｅｍ）機能と、
前記ＧＰＳ機能で取得された前記携帯端末の現在位置情報と前記タクシーの位置情報とから当該タクシーが前記携帯端末の現在位置に到着する到着時刻を算出する手段とを有することを特徴とするタクシーサービスシステム。
【請求項２】
前記到着時刻を算出する手段を前記携帯端末の内部に配設したことを特徴とする請求項１記載のタクシーサービスシステム。
【請求項３】
前記到着時刻を算出する手段を前記携帯端末の外部に配設したことを特徴とする請求項１記載のタクシーサービスシステム。
【請求項４】
前記タクシーに関するタクシー情報を蓄積するタクシー情報サーバを含み、
前記携帯端末は、前記タクシー情報サーバから取得した前記タクシー情報を表示することを特徴とする請求項１から請求項３のいずれか記載のタクシーサービスシステム。
【請求項５】
前記タクシー情報は、前記タクシーの現在位置情報と、前記タクシーの料金情報と、前記タクシーの運転者の年齢及び勤続年数と、前記運転者のコメントと、前記タクシーに以前乗車した利用者のコメントとのうちの少なくとも一つを含むことを特徴とする請求項４記載のタクシーサービスシステム。
【請求項６】
前記携帯端末は、前記タクシー情報を複数表示し、その表示されたタクシー情報の中から前記配車依頼を送信するタクシーを選択自在としたことを特徴とする請求項４または請求項５記載のタクシーサービスシステム。
【請求項７】
前記携帯端末は、前記タクシー情報の前記タクシー情報サーバからのダウンロードをパケット網とパケット網ゲートウェイとを用いてインタネット経由で行うことを特徴とする請求項４から請求項６のいずれか記載のタクシーサービスシステム。
【請求項８】
前記携帯端末は、前記タクシー情報の前記タクシー情報サーバからのダウンロードを携帯電話網とＩＳＰ（Ｉｎｔｅｒｎｅｔ  Ｓｅｒｖｉｃｅ  Ｐｒｏｖｉｄｅｒ）アクセスポイントとを用いてインタネット経由で行うことを特徴とする請求項４から請求項６のいずれか記載のタクシーサービスシステム。
【請求項９】
利用したタクシーの前記タクシー情報を保存する保存手段を含み、前記保存手段に保存された前記タクシー情報を基に当該タクシー情報に対応するタクシーの現在位置情報を前記タクシー情報サーバから取得して当該タクシーの到着時刻を算出して前記携帯端末に表示することを特徴とする請求項４から請求項８のいずれか記載のタクシーサービスシステム。
【請求項１０】
前記タクシーの配車依頼後に前記携帯端末の位置データと当該タクシーの位置データとのうちの少なくとも一方をリアルタイムに送信することを特徴とする請求項１から請求項９のいずれか記載のタクシーサービスシステム。
【請求項１１】
前記携帯端末からの前記利用者のコメントをインタネットを介して前記タクシー情報サーバに送信することを特徴とする請求項５記載のタクシーサービスシステム。
【請求項１２】
前記タクシーの配車依頼の要求時に目的地データを当該配車依頼を要求するタクシーに送信する手段を前記携帯端末に含むことを特徴とする請求項１から請求項１１のいずれか記載のタクシーサービスシステム。
【請求項１３】
利用したタクシーの走行経路データを保存する走行経路データ保存手段を前記携帯端末に含むことを特徴とする請求項１から請求項１２のいずれか記載のタクシーサービスシステム。
【請求項１４】
自端末から自端末の現在位置周辺のタクシーの搭載機器に対して配車依頼を送信する携帯端末装置であって、
自端末の現在位置情報を取得するＧＰＳ（Ｇｌｏｂａｌ  Ｐｏｓｉｔｉｏｎｉｎｇ  Ｓｙｓｔｅｍ）機能と、
前記ＧＰＳ機能で取得された自端末の現在位置情報と前記タクシーの位置情報とから当該タクシーが自端末の現在位置に到着する到着時刻を算出する手段とを有することを特徴とする携帯端末装置。
【請求項１５】
前記タクシーに関するタクシー情報を蓄積するタクシー情報サーバから取得した前記タクシー情報を表示する手段を含むことを特徴とする請求項１４記載の携帯端末装置。
【請求項１６】
携帯端末から当該携帯端末の現在位置周辺のタクシーの搭載機器に対して配車依頼を送信するタクシーサービス方法であって、
前記携帯端末の現在位置情報をＧＰＳ（Ｇｌｏｂａｌ  Ｐｏｓｉｔｉｏｎｉｎｇ  Ｓｙｓｔｅｍ）機能にて取得するステップと、
前記ＧＰＳ機能で取得された前記携帯端末の現在位置情報と前記タクシーの位置情報とから当該タクシーが前記携帯端末の現在位置に到着する到着時刻を算出するステップとを有することを特徴とするタクシーサービス方法。
【請求項１７】
前記タクシーに関するタクシー情報を蓄積するタクシー情報サーバから前記タクシー情報を取得するステップを含み、取得した前記タクシー情報を前記携帯端末に表示することを特徴とする請求項１６記載のタクシーサービス方法。
【請求項１８】
携帯端末から当該携帯端末の現在位置周辺のタクシーの搭載機器に対して配車依頼を送信するタクシーサービス方法のプログラムであって、コンピュータに、前記携帯端末の現在位置情報をＧＰＳ（Ｇｌｏｂａｌ  Ｐｏｓｉｔｉｏｎｉｎｇ  Ｓｙｓｔｅｍ）機能にて取得する処理と、前記ＧＰＳ機能で取得された前記携帯端末の現在位置情報と前記タクシーの位置情報とから当該タクシーが前記携帯端末の現在位置に到着する到着時刻を算出する処理とを実行させるためのプログラム。
【請求項１９】
前記コンピュータに、前記タクシーに関するタクシー情報を蓄積するタクシー情報サーバから前記タクシー情報を取得する処理を実行させ、取得した前記タクシー情報を前記携帯端末に表示させることを特徴とする請求項１８記載のプログラム。
【発明の詳細な説明】
【０００１】
【発明の属する技術分野】
本発明はタクシーサービスシステム、携帯端末装置及びそれに用いるタクシーサービス方法並びにそのプログラムに関し、特にタクシーを利用者の指定した場所まで配車するタクシーサービス方法に関する。
【０００２】
【従来の技術】
従来、この種のタクシーサービス方法としては、タクシーを利用者の指定した場所（現在位置）まで配車する際に、その場所にタクシーが到着する到着時間を算出する方法がある（例えば、特許文献１参照）。
【０００３】
この方法では、タクシーの利用者自らが入力する現在位置データと、ＧＰＳ（Ｇｌｏｂａｌ  Ｐｏｓｉｔｉｏｎｉｎｇ  Ｓｙｓｔｅｍ：全地球測位システム）無線部を持ったタクシーのタクシー位置データとによって、利用者の指定した場所（現在位置）への到着時間を算出している。
【０００４】
【特許文献１】
特開２００２―１５７６８９号公報（第７，８頁、図１）
【０００５】
【発明が解決しようとする課題】
しかしながら、上述した従来のタクシーサービス方法では、現在位置情報を入力しなければ、到着時間を算出することができないため、リアルタイムな到着時間を算出することができないという問題がある。
【０００６】
また、従来のタクシーサービス方法では、周辺のタクシー情報を表示させ、タクシーの利用者が欲する様々なタクシー情報を提供することができないという問題がある。
【０００７】
そこで、本発明の目的は上記の問題点を解消し、利用者が現在位置を入力することなく、タクシーの到着時間を知ることができるタクシーサービスシステム、携帯端末装置及びそれに用いるタクシーサービス方法並びにそのプログラムを提供することにある。
【０００８】
また、本発明の他の目的は、タクシーの利用者が欲する様々なタクシー情報を容易に得ることができるタクシーサービスシステム、携帯端末装置及びそれに用いるタクシーサービス方法並びにそのプログラムを提供することにある。
【０００９】
【課題を解決するための手段】
本発明によるタクシーサービスシステムは、携帯端末から当該携帯端末の現在位置周辺のタクシーの搭載機器に対して配車依頼を送信するタクシーサービスシステムであって、
前記携帯端末の現在位置情報を取得するＧＰＳ（Ｇｌｏｂａｌ  Ｐｏｓｉｔｉｏｎｉｎｇ  Ｓｙｓｔｅｍ）機能と、
前記ＧＰＳ機能で取得された前記携帯端末の現在位置情報と前記タクシーの位置情報とから当該タクシーが前記携帯端末の現在位置に到着する到着時刻を算出する手段とを備えている。
【００１０】
本発明による他のタクシーサービスシステムは、上記の構成のほかに、前記タクシーに関するタクシー情報を蓄積するタクシー情報サーバを具備し、
前記携帯端末は、前記タクシー情報サーバから取得した前記タクシー情報を表示している。
【００１１】
本発明による携帯端末装置は、自端末から自端末の現在位置周辺のタクシーの搭載機器に対して配車依頼を送信する携帯端末装置であって、
自端末の現在位置情報を取得するＧＰＳ（Ｇｌｏｂａｌ  Ｐｏｓｉｔｉｏｎｉｎｇ  Ｓｙｓｔｅｍ）機能と、
前記ＧＰＳ機能で取得された自端末の現在位置情報と前記タクシーの位置情報とから当該タクシーが自端末の現在位置に到着する到着時刻を算出する手段とを備えている。
【００１２】
本発明による他の携帯端末装置は、上記の構成のほかに、前記タクシーに関するタクシー情報を蓄積するタクシー情報サーバから取得した前記タクシー情報を表示する手段を具備している。
【００１３】
本発明によるタクシーサービス方法は、携帯端末から当該携帯端末の現在位置周辺のタクシーの搭載機器に対して配車依頼を送信するタクシーサービス方法であって、
前記携帯端末の現在位置情報をＧＰＳ（Ｇｌｏｂａｌ  Ｐｏｓｉｔｉｏｎｉｎｇ  Ｓｙｓｔｅｍ）機能にて取得するステップと、
前記ＧＰＳ機能で取得された前記携帯端末の現在位置情報と前記タクシーの位置情報とから当該タクシーが前記携帯端末の現在位置に到着する到着時刻を算出するステップとを備えている。
【００１４】
本発明による他のタクシーサービス方法は、上記の処理のほかに、前記タクシーに関するタクシー情報を蓄積するタクシー情報サーバから前記タクシー情報を取得するステップを具備し、取得した前記タクシー情報を前記携帯端末に表示している。
【００１５】
本発明によるタクシーサービス方法のプログラムは、携帯端末から当該携帯端末の現在位置周辺のタクシーの搭載機器に対して配車依頼を送信するタクシーサービス方法のプログラムであって、コンピュータに、前記携帯端末の現在位置情報をＧＰＳ（Ｇｌｏｂａｌ  Ｐｏｓｉｔｉｏｎｉｎｇ  Ｓｙｓｔｅｍ）機能にて取得する処理と、前記ＧＰＳ機能で取得された前記携帯端末の現在位置情報と前記タクシーの位置情報とから当該タクシーが前記携帯端末の現在位置に到着する到着時刻を算出する処理とを実行させている。
【００１６】
本発明による他のタクシーサービス方法のプログラムは、上記の処理のほかに、前記コンピュータに、前記タクシーに関するタクシー情報を蓄積するタクシー情報サーバから前記タクシー情報を取得する処理を実行させ、取得した前記タクシー情報を前記携帯端末に表示させている。
【００１７】
すなわち、本発明のタクシーサービスシステムは、ＧＰＳ（Ｇｌｏｂａｌ  Ｐｏｓｉｔｉｏｎｉｎｇ  Ｓｙｓｔｅｍ：全地球測位システム）携帯端末を所有する利用者がタクシーを利用したい時に、現在位置周辺の何台かのタクシー到着予定時間を算出し、その結果を携帯端末上に表示させ、利用するタクシーを選択するものである。
【００１８】
また、本発明のタクシーサービスシステムでは、タクシーの利用者がより詳細なタクシー情報を得ることが可能なように、到着時間だけでなく、初乗り料金等の料金情報、運転者の年齢、勤続年数、運転者コメント等が得られる運転者情報、会社名情報等を同時に取得するものである。
【００１９】
つまり、本発明によるタクシーサービスシステムは、タクシーの利用者の位置情報が得られるＧＰＳ携帯端末を利用し、周辺のタクシー到着時間を算出する点と、タクシーの利用者がより詳細な周辺のタクシー情報を得られるように、初乗り料金、運転者情報、会社名等のタクシー情報を付加する点とを考慮したものである。
【００２０】
本発明によるタクシーサービスシステムでは、ＧＰＳ携帯端末によって得られた現在位置データと、周辺タクシー情報サーバの周辺タクシー位置情報と、周辺地図情報とを入手し、タクシーの利用者の現在位置からタクシーの現在位置までの距離及び経過時間を算出し、経過時間及び料金、運転者の性別、年齢、勤続年数、運転者コメント等が得られる運転者情報をＧＰＳ携帯端末上で表示させることによって、タクシーの利用者が現在位置を入力することなく、周辺のタクシーの到着時間を知ることが可能となり、より詳細な複数のタクシー情報が得られ、利用者が欲するタクシーが選択可能となる。
【００２１】
【発明の実施の形態】
次に、本発明の実施例について図面を参照して説明する。図１は本発明の第１の実施例によるタクシーサービスシステムの構成を示すブロック図である。図１において、本発明の第１の実施例によるタクシーサービスシステムは携帯端末１と、周辺に位置するタクシー２と、地図情報サーバ３と、タクシー情報サーバ４とから構成されている。
【００２２】
携帯端末１はＧＰＳ（Ｇｌｏｂａｌ  Ｐｏｓｉｔｉｏｎｉｎｇ  Ｓｙｓｔｅｍ：全地球測位システム）衛星１０１の信号を使って利用者Ａの現在位置情報を取得する機能を有している。周辺に位置するタクシー２は図示せぬＧＰＳ装置及び無線装置を装備し、現在位置の情報を取得し、利用者Ａから配車要求があった時に、利用者Ａに対してメッセージを送受信する機能を有している。これらＧＰＳ装置及び無線装置、利用者Ａに対してメッセージを送受信する機能はタクシー２の搭載機器である。
【００２３】
地図情報サーバ３は周辺に位置するタクシー２の現在位置から利用者Ａの現在位置までの地図情報及び道路の規制速度情報を備えている。タクシー情報サーバ４は現在位置、初乗り料金等の料金情報、運転者の年齢、勤続年数、運転者コメント等が得られる運転者情報及び会社名情報を備えている。
【００２４】
図２は図１に示す携帯端末１の構成を示すブロック図である。図２において、携帯端末１はＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、キー操作部１４と、液晶画面表示部１５と、位置情報データ部１６と、無線部１７とから構成されている。
【００２５】
ＣＰＵ１１は携帯端末１全体の演算処理及び周辺タクシー到着時間を算出する機能を有し、ＲＯＭ１２はＣＰＵ１１の制御プログラムを格納する機能を有し、ＲＡＭ１３はＣＰＵ１１の作業領域となる機能を有している。
【００２６】
キー操作部１４は利用タクシー選択の際に使用し、液晶画面表示部１５は周辺に位置するタクシー２の到着時間、料金、運転者情報、会社名等のタクシー情報等を表示する機能を有している。
【００２７】
位置情報データ部１６はＧＰＳ信号受信アンテナを含むＧＰＳ無線部１６ａと、その信号を位置情報データに変換するＧＰＳデコーダ部１６ｂとからなり、ＧＰＳ信号を用いて現在の位置情報を取得する機能を有している。無線部１７は地図情報サーバ３及びタクシー情報サーバ４にアクセスし、情報のダウンロード及びメッセージの送受信する機能を有している。
【００２８】
図３は図２に示す携帯端末１とインタネット網との関係を示す図である。図３において、地図情報サーバ３は周辺に位置するタクシー２の現在位置からタクシーの利用者Ａの現在位置までの地図情報及び道路の規制速度情報を備えている。タクシー情報サーバ４は周辺に位置するタクシー２の現在位置、初乗り料金等の料金情報、運転者の年齢、勤続年数、運転者コメント等が得られる運転者情報及び会社名情報等を備えている。
【００２９】
ＧＰＳ端末３１（携帯端末１）はこれら地図情報サーバ３及びタクシー情報サーバ４のデータを、基地局３２、パケット網２００、パケット網ゲートウェイ３３、インタネット３００を通して取出すことができる。
【００３０】
図４は図１に示すタクシー情報サーバ４のデータベースの構成例を示す図である。図４において、タクシー情報サーバ４は周辺に位置するタクシー２の現在位置、初乗り料金等の料金情報、運転者の年齢、勤続年数、運転者コメント等が得られる運転者情報、会社名情報等をデータベース化したものであり、周辺に位置するタクシー２から上記の情報を入手し、タクシー情報サーバ４の内容をリアルタイムに更新する。地図情報サーバ３は周辺タクシーに位置するタクシー２の現在位置からタクシーの利用者Ａまでの地図情報及び道路の規制速度情報が得られる地図データである。
【００３１】
まず、携帯端末１は位置情報データ部１６から現在位置データを入手し、タクシー情報サーバ４及び地図情報サーバ３にアクセスし、タクシー位置データ及びタクシー利用者位置とタクシー周辺位置との地図データ、規制速度データを無線部１７によって、インタネット３００上で入手する。
【００３２】
最後に、携帯端末１では入手した現在位置データ、タクシー位置データ、地図データ、規制速度データによって、ＣＰＵ１１がＲＯＭ１２の制御プログラムを実行することで、タクシーの利用者Ａの現在位置からタクシーの現在位置までの距離及び経過時間を算出し、タクシ−情報及び経過時間を携帯端末１１上の液晶画面表示部１５で表示させる。
【００３３】
図５は図２の液晶画面表示部１５への表示例を示す図であり、図６は本発明の第１の実施例によるタクシーサービス方法の動作を示すフローチャートである。これら図１〜図６を参照して本発明の第１の実施例によるタクシーサービス方法について説明する。尚、図６に示す処理はＣＰＵ１１がＲＯＭ１２の制御プログラム（コンピュータ等で実行可能なプログラム）を実行することで実現される。
【００３４】
まず、携帯端末１のＣＰＵ１１は、ＧＰＳ受信部１６ａからＧＰＳ信号を受信し、ＧＰＳデコーダ部１６ｂで現在位置データを入手する（図６ステップＳ１）。ＣＰＵ１１は無線部１７を通して周辺タクシー情報データベースであるタクシー情報サーバ４にアクセスし、周辺に位置するタクシー２の現在位置、初乗り料金等の料金情報、運転者の年齢、勤続年数、運転者のコメント等が得られる運転者情報及び会社名情報をインタネット３００を通して入手する（図６ステップＳ２）。
【００３５】
ＣＰＵ１１は上記の処理（ステップＳ１，Ｓ２）で得られたタクシーの利用者Ａの現在位置のデータと、周辺に位置するタクシー２の位置データとを基に、地図情報サーバ３からタクシーの利用者Ａの現在位置と周辺に位置するタクシー２との間の地図情報及び道路の規制速度情報を取出す。ＣＰＵ１１は取出したこれらの地図情報によって、タクシーの利用者Ａから周辺に位置するタクシー２までの経路及び距離を算出する（図６ステップＳ３）。
【００３６】
ＣＰＵ１１は上記の処理（ステップＳ３）で得られた道路の規制速度、算出した距離によって、タクシーの利用者Ａの現在位置への到着時間を算出する（図６ステップＳ４）。その後、ＣＰＵ１１は上記の処理（ステップＳ２）で得られた初乗り料金等の料金情報、運転者の性別、年齢、勤続年数、運転者コメント等が得られる運転者情報及び会社名情報と、上記の処理（ステップＳ４）で得られた到着時間とを液晶画面表示部１５に表示させる（図６ステップＳ５）（図５参照）。
【００３７】
ＣＰＵ１１はキー操作部１４からの入力に応じてタクシー２を選択し（図６ステップＳ６）、その選択したタクシー２にインタネット３００を介してタクシーの利用者Ａの現在位置データ、配車依頼要求データを送信する（図６ステップＳ７）。最後に、ＣＰＵ１１は選択したタクシーがインタネット３００を介して送信した要求承認データを、無線部１７によって受信する（図６ステップＳ８）。
【００３８】
このように、本実施例では、タクシーの利用者Ａが現在位置を入力することなく、配車されるタクシー２の到着時間を知ることができる。本来、タクシーの利用者Ａは、周辺に位置するタクシー２の到着時間を知りたい時、タクシーの利用者Ａの現在位置と周辺に位置するタクシー２の現在位置との間の距離を算出しなければならないため、タクシーの利用者Ａの現在位置情報が必要となる。
【００３９】
本実施例では、タクシーの利用者Ａ自身が現在位置情報を携帯端末１のキー操作部１４から入力するのではなく、ＧＰＳを利用して現在位置を取得し、タクシーの利用者Ａの現在位置と周辺に位置するタクシー２の現在位置とからタクシー２の到着時間を算出するため、タクシーの利用者Ａが現在位置を入力することなく、タクシー２の到着時間を知ることができる。
【００４０】
また、本実施例では、タクシーの利用者Ａが到着時間だけでなく、初乗り料金等の料金情報、運転者の年齢、勤続年数、運転者コメント等が得られる運転者情報及び会社名情報等のより詳細なタクシー情報を同時に取得することができる。
【００４１】
さらに、本実施例では、タクシーを利用したい利用者Ａが複数のタクシーの到着時間、料金情報、運転者の年齢、勤続年数、運転者コメント等の情報を得ることによって、希望するタクシーを選択することができる。
【００４２】
図７は本発明の第２の実施例によるタクシーサービスシステムの構成を示すブロック図である。図７において、本発明の第２の実施例によるタクシーサービスシステムは到着時間算出サーバ５を設けた以外は図１に示す本発明の第１の実施例によるタクシーサービスシステムと同様の構成となっており、同一構成要素に同一符号を付している。
【００４３】
本発明の第２の実施例によるタクシーサービスシステムでは、周辺に位置するタクシー２の到着時間を携帯端末１内で行うのではなく、携帯端末１の外部に配設した到着時間算出サーバ５で算出している。つまり、到着時間算出サーバ５はタクシーの利用者Ａの現在位置データを携帯端末１から取得し、その現在位置データを基に周辺に位置するタクシー２の到着時間を算出する。
【００４４】
図８は本発明の第２の実施例によるタクシーサービス方法を示すフローチャートである。これら図７及び図８を参照して本発明の第２の実施例によるタクシーサービス方法について説明する。尚、図７に示す携帯端末１の構成は図２に示す構成と同様なので、携帯端末１の動作については図２を用いて説明する。
【００４５】
まず、携帯端末１のＣＰＵ１１はＧＰＳ受信部１６ａでＧＰＳ信号を受信し、ＧＰＳデコーダ部１６ｂで現在の位置データを入手し（図８ステップＳ１１）、得られたタクシーの利用者Ａの現在位置情報を無線部１７を使用して到着時間算出サーバ５に送信する。
【００４６】
到着時間算出サーバ５は周辺タクシー情報サーバ４にアクセスし、周辺に位置するタクシー２の現在位置、初乗り料金等の料金情報を入手し、タクシーの利用者Ａの現在位置情報と周辺に位置するタクシー２の現在位置データとを基に、地図情報サーバ３からタクシーの利用者Ａの現在位置と周辺に位置するタクシー２の現在位置との間の地図情報及び道路の規制速度情報を入手し、経路、距離、到着時間を算出する（図８ステップＳ１３）。
【００４７】
到着時間算出サーバ５は得られたタクシーの到着時間情報、料金情報、運転者情報、会社名情報を携帯端末１に送信するので、携帯端末１はそれらの情報を取得する（図８ステップＳ１４）。
【００４８】
その後、ＣＰＵ１１は上記の処理（ステップＳ１４）で得られた初乗り料金等の料金情報、運転者の年齢、勤続年数、運転者コメント等が得られる運転者情報、会社名情報、到着時間を液晶画面表示部１５に表示させる（図８ステップＳ１５）（図５参照）。
【００４９】
ＣＰＵ１１はキー操作部１４からの入力に応じてタクシー２を選択し（図８ステップＳ１６）、選択したタクシー２にタクシーの利用者Ａの現在位置データ、配車依頼要求データを無線部１７からインタネット３００を介して送信する（図８ステップＳ１７）。
【００５０】
最後に、ＣＰＵ１１は選択したタクシー２がインタネット３００を介して送信した要求承認データを、無線部１７によって受信する（図８ステップＳ１８）。これによって、本実施例では、タクシー２の到着時間を携帯端末１上で計算することがないため、携帯端末１上のデータ処理負担が少なくなる。
【００５１】
図９は本発明の第３の実施例による携帯端末とインタネット網との関係を示す図である。図９において、インタネット３００には周辺に位置するタクシー２の現在位置からタクシーの利用者Ａの現在位置までの地図情報及び道路の規制速度情報が得られる地図情報サーバ３と、周辺に位置するタクシー２の現在位置、初乗り料金等の料金情報、運転者の年齢、勤続年数、運転者コメント等が得られる運転者情報及び会社名情報等が得られるタクシー情報サーバ４とが接続されている。
【００５２】
ＧＰＳ端末３１（図１及び図２に示す携帯端末１）はこれら地図情報サーバ３及びタクシー情報サーバ４のデータを、基地局３２、携帯電話網４００、ＩＳＰ（Ｉｎｔｅｒｎｅｔ  Ｓｅｒｖｉｃｅ  Ｐｒｏｖｉｄｅｒ）アクセスポイント４１、インタネット３００を通して取出す。
【００５３】
この場合、本発明の第３の実施例によるタクシーサービス方法における動作の流れは図６に示す流れと同様であるので、その説明については省略する。これによって、本実施例では、ＧＰＳ端末３１においてリアルタイムな地図情報、タクシー運転者情報を得ることができる。
【００５４】
図１０は本発明の第４の実施例による携帯端末の構成を示すブロック図である。図１０において、本発明の第４の実施例による携帯端末は、運転者記憶領域１８を付加した以外は図１に示す本発明の第１の実施例による携帯端末１と同様の構成となっており、同一構成要素には同一符号を付してある。また、同一構成要素の動作は本発明の第１の実施例による携帯端末１と同様である。
【００５５】
運転者記憶領域１８には以前乗ったタクシー情報が保存されており、ＣＰＵ１１は運転者記憶領域１８に保存された以前利用したタクシー運転者情報を基に、タクシー情報サーバ４から以前利用したタクシーの現在地情報を、無線部１７を介して取出す。
【００５６】
その後に、ＣＰＵ１１は位置情報データ部１６からの現在位置情報と、地図情報サーバ３からの道路規制速度情報及び地図情報とによってタクシー２の到着時間を計算し、液晶画面表示部１５に表示させる。
【００５７】
この場合、本発明の第４の実施例によるタクシーサービス方法における動作の流れは図６に示す流れと同様であるので、その説明については省略する。これによって、本実施例では、タクシーの利用者Ａが以前利用した時のサービス等が充実していたタクシー運転者の現在位置を確認することができ、そのタクシーを選択することができる。
【００５８】
図１１に本発明の第５の実施例によるタクシーサービス方法を示すフローチャートである。本発明の第５の実施例によるタクシーサービスシステムは図１に示す本発明の第１の実施例によるタクシーサービスシステムと同様であり、本実施例による携帯端末は図２に示す本発明の第１の実施例による携帯端末と同様であるので、その構成及び動作についての説明は省略する。
【００５９】
つまり、本発明の第５の実施例によるタクシーサービスシステムはタクシーの利用者Ａの現在位置情報をリアルタイムに選択したタクシーに送信するようにした以外は、本発明の第１の実施例によるタクシーサービスシステムと同様の動作となっている。
【００６０】
以下、図１と図２と図１１とを参照して本発明の第５の実施例によるタクシーサービスシステムの動作について説明する。尚、図１１に示すステップＳ２１〜Ｓ２８の動作は図６に示すステップＳ１〜Ｓ８と同様の動作なので、その説明については省略する。
【００６１】
ＣＰＵ１１は周辺に位置するタクシー２からの要求承認データを受信した後、位置情報データ部１６から得られる現在位置情報を、選択されたタクシー２がインタネット３００を介してリアルタイムに取得できるように、無線部１７によって送信する（図１１ステップＳ２９）。これによって、本実施例では、タクシーの配車依頼後、タクシーの利用者Ａが現在位置で待機するのではなく、他の場所に移動して待機することできるようになる。
【００６２】
図１２は本発明の第６の実施例によるタクシーサービス方法を示すフローチャートである。本発明の第６の実施例によるタクシーサービスシステムは図１に示す本発明の第１の実施例によるタクシーサービスシステムと同様であり、本実施例による携帯端末は図２に示す本発明の第１の実施例による携帯端末と同様であるので、その構成及び動作についての説明は省略する。
【００６３】
つまり、本発明の第６の実施例によるタクシーサービスシステムはタクシー２の現在位置情報をリアルタイムに携帯端末１で受信するようにした以外は、本発明の第１の実施例によるタクシーサービスシステムと同様の動作となっている。
【００６４】
以下、図１と図２と図１２とを参照して本発明の第６の実施例によるタクシーサービスシステムの動作について説明する。尚、図１２に示すステップＳ３１〜Ｓ３８の動作は図６に示すステップＳ１〜Ｓ８と同様の動作なので、その説明については省略する。
【００６５】
ＣＰＵ１１は周辺に位置するタクシー２からの要求承認データを受信した後、選択したタクシー２の現在位置データをタクシー情報サーバ４から無線部１７によって受信し、選択したタクシー２の現在位置をリアルタイムに取得する（図１２ステップＳ３９）。これによって、本実施例では、タクシーの利用者Ａが選択したタクシー２の現在位置をリアルタイムに取得することができ、選択したタクシー２の現在位置をいつでも調べることができる。
【００６６】
図１３は本発明の第７の実施例によるタクシー情報サーバのデータベースの構成を示す図である。本発明の第７の実施例によるタクシーサービスシステムは図１に示す本発明の第１の実施例によるタクシーサービスシステムと同様であり、本実施例による携帯端末は図２に示す本発明の第１の実施例による携帯端末と同様であるので、その構成及び動作についての説明は省略する。
【００６７】
つまり、本発明の第７の実施例によるタクシーサービスシステムはタクシー情報サーバ４に、以前そのタクシーに乗車した利用者Ａのコメントを付加するようにした以外は、本発明の第１の実施例によるタクシーサービスシステムと同様の動作となっている。
【００６８】
図１３において、本発明の第７の実施例によるタクシー情報サーバは周辺に位置するタクシー２毎に、タクシーの現在位置、初乗り料金、運転者コメント、会社名だけでなく、以前に乗車したことのある利用者Ａのコメントが付加されている。
【００６９】
また、このタクシー情報サーバにある以前乗車したことのある利用者Ａのコメントは、インタネット３００上で自由に書込めるようになっている。コメントを書込む動作の流れとしては、携帯端末１内のキー操作部１４から入力されたコメントを無線部１７によって送信し、インタネット３００を介してタクシー情報サーバ４の利用者Ａのコメントを更新する流れとなる。
【００７０】
これによって、本実施例では、タクシーの利用者Ａがより詳細なタクシー運転者情報を知ることができ、以前の利用者Ａのコメントに態度が悪い等の情報があると、そのタクシー運転手を選択しない等の事前判断を行うことができる。
【００７１】
図１４は本発明の第８の実施例による携帯端末の構成を示すブロック図である。図１４において、本発明の第８の実施例による携帯端末は、以前利用した等の目的地情報記憶領域１９を付加した以外は図１に示す本発明の第１の実施例による携帯端末１と同様の構成となっており、同一構成要素には同一符号を付してある。また、同一構成要素の動作は本発明の第１の実施例による携帯端末１と同様である。
【００７２】
以前利用した等の目的地情報記憶領域１９にはキー操作部１４から入力された以前利用した等の目的地情報が保存されており、ＣＰＵ１１は選択したタクシー２に、以前利用した等の目的地情報記憶領域１９に保存された以前利用した等の目的地情報を無線部１７によって送信する。
【００７３】
図１５は本発明の第８の実施例によるタクシーサービス方法を示すフローチャートである。本発明の第８の実施例によるタクシーサービスシステムは図１に示す本発明の第１の実施例によるタクシーサービスシステムと同様であるので、その構成及び動作についての説明は省略する。
【００７４】
つまり、本発明の第８の実施例によるタクシーサービスシステムはタクシーの利用者Ａが目的地を、選択したタクシー２に送信するようにした以外は、本発明の第１の実施例によるタクシーサービスシステムと同様の動作となっている。
【００７５】
以下、図１と図１４と図１５とを参照して本発明の第８の実施例によるタクシーサービスシステムの動作について説明する。尚、図１５に示すステップＳ４１〜Ｓ４６の動作は図６に示すステップＳ１〜Ｓ６と同様の動作なので、その説明については省略する。
【００７６】
ＣＰＵ１１はタクシー２を選択した後、選択したタクシー２に、タクシーの利用者Ａの現在位置データ、配車依頼要求データだけでなく、キー操作部１４によって入力された目的地データ、あるいは以前利用した等の目的地情報記憶領域１９に保存された以前利用した等の目的地情報を無線部１７によってインタネット３００を介して送信する（図１５ステップＳ４７）。
【００７７】
最後に、ＣＰＵ１１は選択したタクシー２がインタネット３００を介して送信した要求承認データを、無線部１７によって受信する（図１５ステップＳ４８）。これによって、本実施例では、タクシーの利用者Ａがタクシー運転手に目的地やそのルートを言わなくても、目的地に到着することができるので、タクシーの利用者Ａが乗車中に寝てしまう等の状態となっても、問題なく目的地に到着することができる。
【００７８】
図１６は本発明の第９の実施例による携帯端末の構成を示すブロック図である。図１６において、本発明の第９の実施例による携帯端末は、タクシー走行経路記憶領域２０を付加した以外は図１に示す本発明の第１の実施例による携帯端末１と同様の構成となっており、同一構成要素には同一符号を付してある。また、同一構成要素の動作は本発明の第１の実施例による携帯端末１と同様である。
【００７９】
つまり、本発明の第９の実施例によるタクシーサービスシステムは利用したタクシーの経路情報を携帯端末１上に保存する機能を付加するようにした以外は、本発明の第１の実施例によるタクシーサービスシステムと同様の動作となっている。
【００８０】
タクシー走行経路記憶領域２０には、タクシー利用中に位置情報データ部１６から得られた位置データが保存されており、ＣＰＵ１１はタクシー走行経路記憶領域２０に保存された位置データを取出して液晶画面表示部１５に表示することできる。尚、本実施例の動作の流れは図６に示す本発明の第１の実施例によるタクシーサービスシステムと同様の動作であるので、その説明については省略する。これによって、本実施例では、タクシー運転者が最短なルートを経由しているかどうかを確認することができ、不正を行ったタクシー業者に乗車料金の払戻しを請求すること等ができる。
【００８１】
尚、請求項の記載に関連して本発明はさらに次の態様をとりうる。
【００８２】
（１）自端末から自端末の現在位置周辺のタクシーの搭載機器に対して配車依頼を送信する携帯端末装置であって、
自端末の現在位置情報を取得するＧＰＳ（Ｇｌｏｂａｌ  Ｐｏｓｉｔｉｏｎｉｎｇ  Ｓｙｓｔｅｍ）機能と、
前記ＧＰＳ機能で取得された自端末の現在位置情報と前記タクシーの位置情報とから当該タクシーが自端末の現在位置に到着する到着時刻を算出する手段とを有し、
前記タクシーの配車依頼後に自端末の位置データと当該タクシーの位置データとのうちの少なくとも一方をリアルタイムに送信することを特徴とする携帯端末装置。
【００８３】
（２）前記タクシーの配車依頼の要求時に目的地データを当該配車依頼を要求するタクシーに送信する手段を含むことを特徴とする（１）記載の携帯端末装置。
【００８４】
（３）利用したタクシーの走行経路データを保存する走行経路データ保存手段を含むことを特徴とする（１）または（２）記載の携帯端末装置。
【００８５】
（４）自端末から自端末の現在位置周辺のタクシーの搭載機器に対して配車依頼を送信する携帯端末装置であって、
自端末の現在位置情報を取得するＧＰＳ（Ｇｌｏｂａｌ  Ｐｏｓｉｔｉｏｎｉｎｇ  Ｓｙｓｔｅｍ）機能と、
前記ＧＰＳ機能で取得された自端末の現在位置情報と前記タクシーの位置情報とから当該タクシーが自端末の現在位置に到着する到着時刻を算出する手段とを有し、
前記タクシーに関するタクシー情報を蓄積するタクシー情報サーバから取得した前記タクシー情報を表示する手段を含み、
前記タクシー情報は、前記タクシーの現在位置情報と、前記タクシーの料金情報と、前記タクシーの運転者の年齢及び勤続年数と、前記運転者のコメントと、前記タクシーに以前乗車した利用者のコメントとのうちの少なくとも一つを含むことを特徴とする携帯端末装置。
【００８６】
（５）前記タクシー情報を複数表示し、その表示されたタクシー情報の中から前記配車依頼を送信するタクシーを選択自在としたことを特徴とする（４）記載の携帯端末装置。
【００８７】
（６）前記タクシー情報の前記タクシー情報サーバからのダウンロードをパケット網とパケット網ゲートウェイとを用いてインタネット経由で行うことを特徴とする（４）または（５）記載の携帯端末装置。
【００８８】
（７）前記タクシー情報の前記タクシー情報サーバからのダウンロードを携帯電話網とＩＳＰ（Ｉｎｔｅｒｎｅｔ  Ｓｅｒｖｉｃｅ  Ｐｒｏｖｉｄｅｒ）アクセスポイントとを用いてインタネット経由で行うことを特徴とする（４）または（５）記載の携帯端末装置。
【００８９】
（８）利用したタクシーの前記タクシー情報を保存する保存手段を含み、前記保存手段に保存された前記タクシー情報を基に当該タクシー情報に対応するタクシーの現在位置情報を前記タクシー情報サーバから取得して当該タクシーの到着時刻を算出して表示することを特徴とする（４）から（７）のいずれか記載の携帯端末装置。
【００９０】
（９）前記携帯端末からの前記利用者のコメントをインタネットを介して前記タクシー情報サーバに送信することを特徴とする（４）記載の携帯端末装置。
【００９１】
（１０）携帯端末から当該携帯端末の現在位置周辺のタクシーの搭載機器に対して配車依頼を送信するタクシーサービス方法であって、
前記携帯端末の現在位置情報をＧＰＳ（Ｇｌｏｂａｌ  Ｐｏｓｉｔｉｏｎｉｎｇ  Ｓｙｓｔｅｍ）機能にて取得するステップと、
前記ＧＰＳ機能で取得された前記携帯端末の現在位置情報と前記タクシーの位置情報とから当該タクシーが前記携帯端末の現在位置に到着する到着時刻を算出するステップとを前記携帯端末に有することを特徴とするタクシーサービス方法。
【００９２】
（１１）前記タクシーの配車依頼後に前記携帯端末の位置データと当該タクシーの位置データとのうちの少なくとも一方をリアルタイムに送信することを特徴とする（１０）記載のタクシーサービス方法。
【００９３】
（１２）前記タクシーの配車依頼の要求時に目的地データを当該配車依頼を要求するタクシーに送信するステップを前記携帯端末に含むことを特徴とする（１０）または（１１）記載のタクシーサービス方法。
【００９４】
（１３）利用したタクシーの走行経路データを前記携帯端末の走行経路データ保存手段に保存することを特徴とする（１０）から（１２）のいずれか記載のタクシーサービス方法。
【００９５】
（１４）携帯端末から当該携帯端末の現在位置周辺のタクシーの搭載機器に対して配車依頼を送信するタクシーサービス方法であって、
前記携帯端末の現在位置情報をＧＰＳ（Ｇｌｏｂａｌ  Ｐｏｓｉｔｉｏｎｉｎｇ  Ｓｙｓｔｅｍ）機能にて取得するステップと、
前記ＧＰＳ機能で取得された前記携帯端末の現在位置情報と前記タクシーの位置情報とから当該タクシーが前記携帯端末の現在位置に到着する到着時刻を算出するステップと、
前記タクシーに関するタクシー情報を蓄積するタクシー情報サーバから前記タクシー情報を取得するステップとを前記携帯端末に有し、
取得した前記タクシー情報を前記携帯端末に表示することを特徴とするタクシーサービス方法。
【００９６】
（１５）前記タクシー情報は、前記タクシーの現在位置情報と、前記タクシーの料金情報と、前記タクシーの運転者の年齢及び勤続年数と、前記運転者のコメントと、前記タクシーに以前乗車した利用者のコメントとのうちの少なくとも一つを含むことを特徴とする（１４）記載のタクシーサービス方法。
【００９７】
（１６）前記携帯端末は、前記タクシー情報を複数表示し、その表示されたタクシー情報の中から前記配車依頼を送信するタクシーを選択自在としたことを特徴とする（１４）または（１５）記載のタクシーサービス方法。
【００９８】
（１７）前記携帯端末は、前記タクシー情報の前記タクシー情報サーバからのダウンロードをパケット網とパケット網ゲートウェイとを用いてインタネット経由で行うことを特徴とする（１４）から（１６）のいずれか記載のタクシーサービス方法。
【００９９】
（１８）前記携帯端末は、前記タクシー情報の前記タクシー情報サーバからのダウンロードを携帯電話網とＩＳＰ（Ｉｎｔｅｒｎｅｔ  Ｓｅｒｖｉｃｅ  Ｐｒｏｖｉｄｅｒ）アクセスポイントとを用いてインタネット経由で行うことを特徴とする（１４）から（１６）のいずれか記載のタクシーサービス方法。
【０１００】
（１９）利用したタクシーの前記タクシー情報を前記携帯端末の保存手段に保存し、前記保存手段に保存された前記タクシー情報を基に当該タクシー情報に対応するタクシーの現在位置情報を前記タクシー情報サーバから取得して当該タクシーの到着時刻を算出して前記携帯端末に表示することを特徴とする（１４）から（１８）のいずれか記載のタクシーサービス方法。
【０１０１】
（２０）前記携帯端末からの前記利用者のコメントをインタネットを介して前記タクシー情報サーバに送信することを特徴とする（１５）記載のタクシーサービス方法。
【０１０２】
【発明の効果】
以上説明したように本発明のタクシーサービスシステムは、携帯端末から当該携帯端末の現在位置周辺のタクシーの搭載機器に対して配車依頼を送信するタクシーサービスシステムにおいて、携帯端末の現在位置情報をＧＰＳ機能にて取得し、ＧＰＳ機能で取得された携帯端末の現在位置情報とタクシーの位置情報とから当該タクシーが携帯端末の現在位置に到着する到着時刻を算出することによって、利用者が現在位置を入力することなく、タクシーの到着時間を知ることができるという効果が得られる。
【０１０３】
また、本発明の他のタクシーサービスシステムは、タクシーに関するタクシー情報を蓄積するタクシー情報サーバを設け、そのタクシー情報サーバから取得したタクシー情報を携帯端末に表示することによって、タクシーの利用者が欲する様々なタクシー情報を容易に得ることができるという効果が得られる。
【図面の簡単な説明】
【図１】本発明の第１の実施例によるタクシーサービスシステムの構成を示すブロック図である。
【図２】図１に示す携帯端末の構成を示すブロック図である。
【図３】図２に示す携帯端末とインタネット網との関係を示す図である。
【図４】図１に示すタクシー情報サーバのデータベースの構成例を示す図である。
【図５】図２の液晶画面表示部への表示例を示す図である。
【図６】本発明の第１の実施例によるタクシーサービス方法の動作を示すフローチャートである。
【図７】本発明の第２の実施例によるタクシーサービスシステムの構成を示すブロック図である。
【図８】本発明の第２の実施例によるタクシーサービス方法を示すフローチャートである。
【図９】本発明の第３の実施例による携帯端末とインタネット網との関係を示す図である。
【図１０】本発明の第４の実施例による携帯端末の構成を示すブロック図である。
【図１１】本発明の第５の実施例によるタクシーサービス方法を示すフローチャートである。
【図１２】本発明の第６の実施例によるタクシーサービス方法を示すフローチャートである。
【図１３】本発明の第７の実施例によるタクシー情報サーバのデータベースの構成を示す図である。
【図１４】本発明の第８の実施例による携帯端末の構成を示すブロック図である。
【図１５】本発明の第８の実施例によるタクシーサービス方法を示すフローチャートである。
【図１６】本発明の第９の実施例による携帯端末の構成を示すブロック図である。
【符号の説明】
１  携帯端末
２  周辺に位置するタクシー
３  地図情報サーバ
４  タクシー情報サーバ
５  到着時間算出サーバ
１１  ＣＰＵ
１２  ＲＯＭ
１３  ＲＡＭ
１４  キー操作部
１５  液晶画面表示部
１６  位置情報データ部
１６ａ  ＧＰＳ無線部
１６ｂ  ＧＰＳデコーダ部
１７  無線部
１８  運転者記憶領域
１９  以前利用した等の目的地情報記憶領域
２０  タクシー走行経路記憶領域
３１  ＧＰＳ端末
３２  基地局
３３  パケット網ゲートウェイ
４１  ＩＳＰアクセスポイント
２００  パケット網
３００  インタネット
４００  携帯電話網
【図１】
2004157698.tif 000003
【図２】
2004157698.tif 000004
【図３】
2004157698.tif 000005
【図４】
2004157698.tif 000006
【図５】
2004157698.tif 000007
【図６】
2004157698.tif 000008
【図７】
2004157698.tif 000009
【図８】
2004157698.tif 000010
【図９】
2004157698.tif 000011
【図１０】
2004157698.tif 000012
【図１１】
2004157698.tif 000013
【図１２】
2004157698.tif 000014
【図１３】
2004157698.tif 000015
【図１４】
2004157698.tif 000016
【図１５】
2004157698.tif 000017
【図１６】
2004157698.tif 000018